(57)【要約】【課題】操作パネルを薄くし、しかもプリント基板のパターン配置の自由度を大きくすることができる盗難防止のための車載用電子機器のパネル着脱機構を提供する。【解決手段】操作パネル１が機器本体の前面を覆う位置と開く位置との間で可動に機器本体に支持された車載用電子機器において、操作キーおよび表示部を備えていないマスクパネル２を操作パネル１の操作キーおよび表示部の配置された面の裏面側に着脱可能とすると共にマスクパネル２が操作パネル１に装着されたときにマスクパネル２と操作パネル１との夫々に設けられたコネクタ８、９が接続されて操作パネル１の回路が作動状態となるように構成した。【選択図】        図１
2004168125.tif 000002
【特許請求の範囲】
【請求項１】
操作パネルが機器本体の前面を覆う位置と開く位置との間で可動に機器本体に支持された車載用電子機器において、操作キーおよび表示部を備えていないマスクパネルを前記操作パネルの操作キーおよび表示部の配置された面の裏面側に着脱可能とすると共に前記マスクパネルが前記操作パネルに装着されたときに前記マスクパネルと前記操作パネルとの夫々に設けられたコネクタが接続されて操作パネルの回路が作動状態となるように構成した車載用電子機器のパネル着脱機構。
【請求項２】
前記操作パネルが水平状態のときに前記操作パネルの操作キーおよび表示部が上側となり、下側の前記マスクパネルを前方に引き出すことによりマスクパネルを操作パネルから取り外すことが可能となる請求項１の車載用電子機器のパネル着脱機構。
【請求項３】
前記操作パネルに前記マスクパネルが装着されたときにマスクパネルを操作パネルにロックするロック機構がマスクパネルと操作パネルの両側部に設けられた請求項１または２の車載用電子機器のパネル着脱機構。
【請求項４】
前記ロック機構は、２つの突出部が形成されたロックレバーの前記突出部間にロック爪が係合するように構成された請求項３の車載用電子機器のパネル着脱機構。
【請求項５】
前記マスクパネルに前記操作パネルの回路の一部を構成するＲＯＭが設けられ、このＲＯＭが前記コネクタにより前記操作パネルに接続される請求項１から４のいずれかに記載した車載用電子機器のパネル着脱機構。
【発明の詳細な説明】
【０００１】
【発明の属する技術分野】
この発明は車載用電子機器のパネル着脱機構に係わり、特に、車載用電子機器の盗難防止に有効なパネル着脱機構に関する。
【０００２】
【従来の技術】
従来、車載用電子機器の盗難防止のために、操作パネルを機器から取り外して機器を使用不能とし、または操作パネルの裏面を表側とすることにより車載用電子機器を隠すことが行われている。
【０００３】
特開２００１−２０２７６４に提案された従来の車載用電子機器の盗難防止機構の例の概要を図５および図６により説明する。図に示すマスクパネル２０は機器本体に可動に支持されたレバー２４、２４により回動軸２０ａ、２０ａ回りに回動自在に支持されている。
【０００４】
操作パネル２１は図５に見えてない下面に操作キーおよび表示部が配置されており、図５に示した状態から裏返した状態でマスクパネル２０に装着される。すなわち操作パネル２１の板ばね嵌合部２１ａ、２１ａをマスクパネル２０に取り付けられた板ばね２３、２３と嵌合状態として操作パネル２１を押し込み、操作パネル２１に設けられたロックレバー２２をマスクパネル２０に立設されたロックピン２０ｂにロックさせる。この状態で操作パネル２１に設けられたコネクタ８がマスクパネル２０に設けられたコネクタ９と接触し操作パネル２１の回路が本体に接続される。
【０００５】
図６にロックレバー２２のロック機構の詳細を示している。図に示すロックレバー２２は操作パネル２１にＡ−Ｂ方向に摺動自在に支持され、図示していないばねによりＡ方向に付勢されている。ロックレバー２２のつまみ部は操作パネル２１の前端面に露出しているが図６では見えていない。
【０００６】
操作パネル２１を押し込むとロックレバー２２はマスクパネルのロックピン２０ｂに押されてばねの弾力に抗して一旦Ｂ方向に移動した後元に戻りロックピン２０ｂにロックされる。操作パネル２１を取り外すときはロックレバー２２のつまみ部によりロックレバー２２をＢ方向に移動させることによりロックピン２０ｂとのロックを解除し操作パネル２１を引き出すことができる。
【０００７】
この車載用電子機器の盗難防止機構はマスクパネル２０の取り付けられた操作パネル２１の裏面側を前面に向けることにより車載用電子機器を隠して盗難を防止することができる。また、操作パネル２１を機器本体から取り外すことにより車載用電子機器を使用不可能状態として盗難を防止することもできる。
【０００８】
【特許文献１】
特開２００１−２０２７６４号公報（第４−６頁、図１〜図６）
【０００９】
【発明が解決しようとする課題】
上記した従来の車載用電子機器の盗難防止機構では操作パネル２１のロック箇所が一か所であるため、ロックピン２０ｂが左右方向の中央に配置され、操作パネル２１にロックピン２０ｂを通過させるために図５に示す深さＤの深い溝を設けなければならない。従って、操作パネル２１内のプリント基板をロックピン２０ｂの上側に来るように配置すると、操作パネル２１が厚くなるという問題があった。また、プリント基板の中央部にロックピン２０ｂを通過させる溝を設けるとプリント基板のパターン配置の自由度が小さくなるという問題があった。
【００１０】
また、車載用電子機器を使用不可能にするために取り外す操作パネル２１が厚く重いために持ち運びに不便であるという問題があった。
【００１１】
この発明は上記した点に鑑みてなされたものであって、その目的とするところは、操作パネルを薄くし、しかもプリント基板のパターン配置の自由度を大きくすることができる車載用電子機器のパネル着脱機構を提供することにある。
【００１２】
この発明の他の目的は、軽量で持ち運びに便利なマスクパネルを取り外すことにより盗難を防止できる車載用電子機器のパネル着脱機構を提供することにある。
【００１３】
【課題を解決するための手段】
この発明の車載用電子機器のパネル着脱機構は、操作パネルが機器本体の前面を覆う位置と開く位置との間で可動に機器本体に支持された車載用電子機器において、操作キーおよび表示部を備えていないマスクパネルを前記操作パネルの操作キーおよび表示部の配置された面の裏面側に着脱可能とすると共に前記マスクパネルが前記操作パネルに装着されたときに前記マスクパネルと前記操作パネルとの夫々に設けられたコネクタが接続されて操作パネルの回路が作動状態となるように構成したものである。
【００１４】
また、前記パネル着脱機構において、前記操作パネルが水平状態のときに前記操作パネルの操作キーおよび表示部が上側となり、下側の前記マスクパネルを前方に引き出すことによりマスクパネルを操作パネルから取り外すことが可能となるものである。
【００１５】
また、前記各パネル着脱機構において、前記操作パネルに前記マスクパネルが装着されたときにマスクパネルを操作パネルにロックするロック機構がマスクパネルと操作パネルの両側部に設けられたものである。
【００１６】
また、前記パネル着脱機構において、前記ロック機構が、２つの突出部が形成されたロックレバーの前記突出部間にロック爪が係合するように構成されたものである。
【００１７】
また、前記各パネル着脱機構において、前記マスクパネルに前記操作パネルの回路の一部を構成するＲＯＭが設けられ、このＲＯＭが前記コネクタにより前記操作パネルに接続されるものである。
【００１８】
【発明の実施の形態】
この発明の実施例である車載用電子機器のパネル着脱機構適用を図面に基づいて説明する。図１はこの発明の実施例である車載用電子機器のパネル着脱機構を示す分解斜視図である。
【００１９】
図１に示す操作パネル１は樹脂製のフレーム３に金属のブラケット４が一体に締着されて構成されている。ブラケット４に固着された回動軸５、５を介して機器本体に可動に支持された図示していないレバーにより操作パネル１は移動および回動自在に支持されており、回動軸５、５と同軸にブラケット４に固着されたギヤ６、６を介して機器本体に設けられた駆動機構により操作パネル１は回動される。回動軸５およびギヤ６は左右に設けられているが図１では左側のみ見えている。
【００２０】
操作パネル１の裏面側のブラケット４にはコネクタ８が締着され、また、左右の側部にロックレバー７、７が摺動自在に支持されている。図１では操作パネル１を水平状態において下側から見た状態を示している。操作パネル１には図１に見えてない上面に操作キーおよび表示部が配置されている。
【００２１】
マスクパネル２は樹脂により薄肉に形成されており、左右側部にガイドリブ２ｂおよびロック爪２ｃが一体に形成され、また、中央部に位置決めボス２ａが形成されている。マスクパネル２にはさらにコネクタ９が締着されている。マスクパネル２には操作キーや表示部が設けられていない。
【００２２】
図１ではマスクパネル２は裏返した状態で下側から図示されているが、コネクタ９およびガイドリブ２ｂが上側となる状態で水平状態の操作パネル１の下側に図１における右上方向から差し込まれて装着される。このとき、マスクパネル２の位置決めボス２ａはブラケット４の切り込み４ａに嵌り込みマスクパネル２が位置決めされる。
【００２３】
すなわち操作パネル１に設けられたロックレバー７、７の上面にガイドリブ２ｂ、２ｂの下面が当接状態となつてスライドするように案内されてマスクパネル２が押し込まれ操作パネル１に設けられたロックレバー７、７によりマスクパネル２のロック爪２ｃ、２ｃがにロックされる。この状態で操作パネル１に設けられたコネクタ８がマスクパネル２に設けられたコネクタ９と接触し操作パネル１の回路が作動状態となる。また、操作パネル１は図示していないフラットケーブルで本体に接続されている。
【００２４】
図２〜図４にロックレバー７のロック機構の詳細を示している。図２に示すロックレバー７はブラケット４に摺動自在に支持され、二又の突出部７ａ、７ａがブラケット４の穴４ｄ、４ｄから突出する。すなわち、ブラケット４に固設されたガイドピン１０がロックレバー７の長穴７ｂを挿通してロックレバー７を係止し、ブラケット４に切り起こして形成されたガイド片４ｂ、４ｂはロックレバー７の凸部７ｄ、７ｄと当接してロックレバー７を案内する。
【００２５】
ブラケット４のばね掛け部４ｃとロックレバー７のばね掛け部７ｃに掛けられた引っ張りコイルばね１１はロックレバー７の突出部７ａ、７ａがブラケット４の穴４ｄ、４ｄから突出する方向にロックレバー７を付勢する。このように付勢されたロックレバー７の突出部７ａ、７ａはマスクパネル２のロック爪２ｃを挟み込みマスクパネルをスライド方向の定位置にロックする。
【００２６】
このように、ロックレバー７とガイドリブ２ｂおよびロック爪２ｃの係合により、操作パネル１とマスクパネル２の操作面と垂直方向のロックは元より、マスクパネル取外し時のスライド方向の位置決めが可能となり、１つのロック機構で２方向の位置決めができる。
【００２７】
図３および図４にマスクパネル２が操作パネル１に装着された状態が示されている。なお、図では操作パネル１のロック機構の左側のもののみ示しているが、同一のロック機構が左右両側に設けられている。
【００２８】
図３において、操作パネル１の操作キー１２が設けられた面が操作面であり、この操作面の裏側にマスクパネル２が装着される。図に示すマスクパネル２を押し込むとロックレバー７はマスクパネル２のロック爪２ｃに押されてばねの弾力に抗して一旦図３および図４における右方向に後退した後、元に戻りロック爪２ｃをロックする。
【００２９】
マスクパネル２を取り外すときはマスクパネルを前方に強く引くとロック爪２ｃの傾斜部にロックレバー７の突出部７ａが押されロックレバー７が引っ張りコイルばね１１の弾力に抗して右方向に押されてロック爪２ｃとロックレバー７とのロックが解除されマスクパネル２を引き出すことができる。
【００３０】
また、操作パネル１を水平状態にしてマスクパネル２を取り外す場合、マスクパネル２が操作パネル１の下側にあるので重力により落下しやすく、取り外しの誤操作によりマスクパネル２を機器本体と操作パネル１との間に挟みこむことがない。
【００３１】
図３に示すプリント基板１３は操作パネル１に内蔵されているが、引っ張りコイルばね１１の配置される部分に切り欠きが設けられている。先に説明した従来の例ではロックピン２０ｂは操作パネルの幅方向の中央部に配置されるので、操作パネルを薄くするためにロックピン２０ｂをプリント基板に設けた切り欠きを移動させるようにするとプリント基板の中央部の切り欠きのためにパターン設計の自由度が小さくなるが、本実施例ではプリント基板１３の左右側部に切り欠きが設けられるのでパターン設計の自由度があまり制限されない。
【００３２】
実施例の車載用電子機器の盗難防止機構はマスクパネル２の取り付けられた操作パネル１の裏面側を前面に向けることにより車載用電子機器を隠して盗難を防止することができる。また、マスクパネル２を機器本体から取り外すことにより車載用電子機器を使用不可能状態として盗難を防止することもできる。なお、マスクパネル２にＲＯＭを配置してコネクタ８および９により操作パネル１と接続してもよい。
【００３３】
【発明の効果】
この発明の車載用電子機器のパネル着脱機構によれば、軽量で持ち運びに便利なマスクパネルを取り外すことにより車載用電子機器の盗難を防止できて便利である。
【００３４】
また、マスクパネルを操作パネルにロックするロック機構が左右の側部にあるので、ロック機構のための切り欠きをプリント基板に設けてもプリント基板のパターン設計の自由度があまり制限されことなく、操作パネルを薄型にすることができる。
【図面の簡単な説明】
【図１】この発明の実施例である車載用電子機器のパネル着脱機構を示す分解斜視図である。
【図２】同パネル着脱機構の部分を示す分解斜視図である。
【図３】同パネル着脱機構の部分を示す断面図である。
【図４】図３におけるＡ−Ａ断面図である。
【図５】従来の車載用電子機器のパネル着脱機構の例を示す分解斜視図である。
【図６】同パネル着脱機構の部分を示す分解斜視図である。
【符号の説明】
１  操作パネル
２  マスクパネル、２ａ  位置決めボス、２ｂ  ガイドリブ、２ｃ  ロック爪
３  フレーム
４  ブラケット、４ａ  切込み、４ｂ  ガイド片、４ｃ  ばね掛け部
４ｄ  穴、
５  回転軸
６  ギヤ
７  ロックレバー、７ａ  突出部、７ｂ  長穴、７ｃ  ばね掛け部
７ｄ  凸部
８  コネクタ
９  コネクタ
１０  ガイドピン
１１  引張りコイルばね
１２  操作キー
１３  プリント基板
２０  マスクパネル、２０ａ  回動軸、２０ｂ  ロックピン
２１  操作パネル、２１ａ  板ばね嵌合部
２２  ロックレバー
２３  板ばね
２４  レバー
【図１】
2004168125.tif 000003
【図２】
2004168125.tif 000004
【図３】
2004168125.tif 000005
【図４】
2004168125.tif 000006
【図５】
2004168125.tif 000007
【図６】
2004168125.tif 000008